(57)【特許請求の範囲】
【請求項１】
本体フレーム側に揺動可能に支持されて、第一の位置と当該本体フレーム間を開放するための第二の位置とに移動できる第一の移動部材と、
前記第一の移動部材が前記第一の位置に位置しているときに第三の位置と第四の位置とに移動できるように当該第一の移動部材に揺動可能に支持され、当該第三の位置に位置するときに前記本体フレーム間の少なくとも一部を覆い、当該第四の位置に位置するときに前記本体フレーム間を開放する第二の移動部材と、
前記本体フレーム側に支持され、前記第二の移動部材を前記第四の位置へ向かう方向へ付勢する付勢手段と、
前記第二の移動部材と前記付勢手段との間に設けられ、当該第二の移動部材が前記第三の位置と前記第四の位置との間を移動する際には当該第二の移動部材側と当該付勢手段側とを連結し、当該第二の移動部材が前記第四の位置に位置している状態で前記第一の移動部材が当該第二の移動部材を伴って前記第一の位置から前記第二の位置へ移動する際には当該第二の移動部材側と当該付勢手段側との連結を解除する連結手段と
を設けたことを特徴とする印刷機。
【請求項２】
請求項１に記載の印刷機において、
前記連結手段と前記付勢手段との間を連結し、前記第二の移動部材を前記第三の位置から前記第四の位置へ移動させるときに第五の位置から第六の位置へ移動できるように前記本体フレーム側に揺動可能に設けられた揺動部材を備えた
ことを特徴とする印刷機。
【請求項３】
請求項２に記載の印刷機において、
前記連結手段が、
係合溝を有する係合部材と、
前記係合部材の前記係合溝に差し込まれる係合ピンと
を備えてなることを特徴とする印刷機。
【請求項４】
請求項３に記載の印刷機において、
前記係合ピンが前記第二の移動部材側に取り付けられる一方、
前記係合部材が前記揺動部材側に取り付けられると共に、
前記係合部材の前記係合溝が、前記揺動部材が前記第六の位置のときに前記第一の移動部材の前記第一の位置から前記第二の位置への移動方向へ開口するように切り欠かれている
ことを特徴とする印刷機。
【請求項５】
請求項３に記載の印刷機において、
前記係合ピンが前記揺動部材側に取り付けられる一方、
前記係合部材が前記第二の移動部材側に取り付けられると共に、
前記係合部材の前記係合溝が、前記揺動部材が前記第六の位置のときに前記第一の移動部材の前記第二の位置から前記第一の位置への移動方向へ開口するように切り欠かれている
ことを特徴とする印刷機。
【請求項６】
請求項１から５のいずれかに記載の印刷機において、
版胴に対する版の供給および当該版胴からの版の排出のうちの少なくとも一方を行う版交換手段を前記第二の移動部材が有している
ことを特徴とする印刷機。
【発明の詳細な説明】
【０００１】
【発明の属する技術分野】
本発明は、各種胴やインキ装置等の印刷手段の周囲に設けられるカバーや版交換装置などのような移動部材を備えた印刷機に関する。
【０００２】
【従来の技術】
印刷機においては、各種胴やインキ装置等の印刷手段の保守点検等を可能にするため、これら印刷手段の周囲のカバーや版交換装置などのような部材を移動可能に設けて当該印刷手段の周囲を開放できるようにしている。このような移動部材は、重量が大きく、移動させるのにかなりの労力を要してしまう。
【０００３】
このため、例えば、特開平４−２８４２５２号公報等では、印刷機のフレームの上端に基端側を回動可能に連結したＬ字型をなすアームの先端側に安全カバーの垂直バーの上端側を回動可能に連結し、上記アームの基端側を油圧シリンダで回動させて安全カバーを垂直状態で上昇させることにより、安全カバーを容易に移動させることができるようにしている。
【０００４】
【発明が解決しようとする課題】
しかしながら、特開平４−２８４２５２号公報等に開示された印刷機では、安全カバーを垂直状態のままで上昇させているため、インキ装置や給水装置などのような上方の印刷手段の周囲までも開放することができず、上方の印刷手段の保守点検作業が容易ではなかった。
【０００５】
このようなことから、本発明は、移動部材を広範囲にわたって移動させることが容易にできる印刷機を提供することを目的とした。
【０００６】
【課題を解決するための手段】
前述した課題を解決するための、本発明による印刷機は、本体フレーム側に揺動可能に支持されて、第一の位置と当該本体フレーム間を開放するための第二の位置とに移動できる第一の移動部材と、前記第一の移動部材が前記第一の位置に位置しているときに第三の位置と第四の位置とに移動できるように当該第一の移動部材に揺動可能に支持され、当該第三の位置に位置するときに前記本体フレーム間の少なくとも一部を覆い、当該第四の位置に位置するときに前記本体フレーム間を開放する第二の移動部材と、前記本体フレーム側に支持され、前記第二の移動部材を前記第四の位置へ向かう方向へ付勢する付勢手段と、前記第二の移動部材と前記付勢手段との間に設けられ、当該第二の移動部材が前記第三の位置と前記第四の位置との間を移動する際には当該第二の移動部材側と当該付勢手段側とを連結し、当該第二の移動部材が前記第四の位置に位置している状態で前記第一の移動部材が当該第二の移動部材を伴って前記第一の位置から前記第二の位置へ移動する際には当該第二の移動部材側と当該付勢手段側との連結を解除する連結手段とを設けたことを特徴とする。
【０００７】
上述した印刷機において、前記連結手段と前記付勢手段との間を連結し、前記第二の移動部材を前記第三の位置から前記第四の位置へ移動させるときに第五の位置から第六の位置へ移動できるように前記本体フレーム側に揺動可能に設けられた揺動部材を備えたことを特徴とする。
【０００８】
上述した印刷機において、前記連結手段が、係合溝を有する係合部材と、前記係合部材の前記係合溝に差し込まれる係合ピンとを備えてなることを特徴とする。
【０００９】
上述した印刷機において、前記係合ピンが前記第二の移動部材側に取り付けられる一方、前記係合部材が前記揺動部材側に取り付けられると共に、前記係合部材の前記係合溝が、前記揺動部材が前記第六の位置のときに前記第一の移動部材の前記第一の位置から前記第二の位置への移動方向へ開口するように切り欠かれていることを特徴とする。
【００１０】
上述した印刷機において、前記係合ピンが前記揺動部材側に取り付けられる一方、前記係合部材が前記第二の移動部材側に取り付けられると共に、前記係合部材の前記係合溝が、前記揺動部材が前記第六の位置のときに前記第一の移動部材の前記第二の位置から前記第一の位置への移動方向へ開口するように切り欠かれていることを特徴とする。
【００１１】
上述した印刷機において、版胴に対する版の供給および当該版胴からの版の排出のうちの少なくとも一方を行う版交換手段を前記第二の移動部材が有していることを特徴とする。
【００１２】
【発明の実施の形態】
本発明による印刷機の実施の形態を図面を用いて次に説明するが、本発明はこれらの実施の形態に限定されるものではない。
【００１３】
［第一番目の実施の形態］
本発明による印刷機の第一番目の実施の形態を図１〜８を用いて説明する。図１は、要部の概略構成図、図２は、図１の矢線II方向からみた図、図３は、図２の矢線 III方向からみた図、図４は、図１の矢線IV部の抽出拡大図、図５は、図４の矢線Ｖ方向からみた図、図６は、版胴やゴム胴の保守点検等を行う場合の説明図、図７は、インキ装置や給水装置の保守点検等を行う場合の説明図、図８は、図７の状態から図６の状態に戻す場合の説明図である。
【００１４】
図１に示すように、印刷機の左右の本体フレーム１の内側には、版胴２が設けられている。版胴２の下方側には、ゴム胴３が対接している。版胴２の上方側には、インキ装置や給水装置のローラ群４が対接している。
【００１５】
図１，２に示すように、左右の本体フレーム１の上部の前記胴２，３の軸心方向一方側には、支柱１１が立設されており、当該支柱１１は、対をなす他方側の図示しない本体フレーム１にも立設されている。これら支柱１１の上端には、第一の移動部材であるＬ字型をなす支持アーム１２の基端が前記胴２，３と同一方向の軸回りで揺動できるように支点ピン１１ａを介してそれぞれ連結されており、当該支持アーム１２は、その先端を第一の位置である下方と第二の位置である上方とに移動させることができるようになっている。
【００１６】
前記各支持アーム１２の先端側には、支持フレーム１３の一端側が支点ピン１２ａを介してそれぞれ揺動可能に支持されており、当該支持フレーム１３は、支持アーム１２の先端側が下方（第一の位置）に位置しているときに、他端側を下方へ向けた位置（第三の位置）と上方へ向けた位置（第四の位置）とに移動できるようになっている。
【００１７】
前記各支持フレーム１３には、版胴２に対する版の供給および版胴２からの版の排出を行う版交換手段である版交換装置１４とカバープレート１５とが取り付けられており、支持アーム１２の先端側が下方（第一の位置）に位置すると共に支持フレーム１３の他端側が下方（第三の位置）に位置するときに、対をなす前記本体フレーム１間の少なくとも一部を覆い、支持フレーム１３の他端側が上方（第四の位置）に位置したり支持アーム１２の先端側が上方（第二の位置）に位置するときに、当該本体フレーム１間を開放することができるようになっている。
【００１８】
このような支持フレーム１３、版交換装置１４、カバープレート１５などにより、本実施の形態では第二の移動部材を構成し、第一の移動部材である支持アーム１２や上記第二の移動部材などにより移動部材を構成している。
【００１９】
前記支持アーム１２の先端には、連結ピン１６が前記軸心方向に沿って移動できるように貫通しており、当該連結ピン１６は、本体フレーム１側の先端を支持アーム１２から突出させるようにばね等により当該本体フレーム１側へ向かって付勢されている。一方、本体フレーム１には、上記連結ピン１６を着脱可能に嵌合される連結部材１７が取り付けられている。
【００２０】
つまり、支持アーム１２は、連結ピン１６が連結部材１７に差し込まれることにより揺動を規制され、連結ピン１６が連結部材１７から抜き出されることにより基端を中心にして揺動することができるようになっているのである。
【００２１】
前記支持フレーム１３の他端側には、ノブ１８ａの回転により本体フレーム１側に対してピン１８ｂを出没させる連結具１８が設けられている。一方、本体フレーム１には、上記連結具１８のピン１８ｂを着脱可能に嵌合される連結部材１９が取り付けられている。
【００２２】
つまり、支持フレーム１３は、連結具１８のノブ１８ａを回転させてピン１８ｂが連結部材１９に差し込まれることにより揺動を規制され、連結具１８のピン１８ｂが連結部材１９から抜き出されることにより支持アーム１２の先端側に対して一端側を中心にして揺動することができるようになっているのである。
【００２３】
図１〜３に示すように、前記本体フレーム１には、前記胴２，３の軸心方向へ軸心を向けた支持軸２１がブラケット２０を介して回動可能に取り付けられており、当該支持軸２１は、前記連結ピン１６が前記連結部材１７に嵌合している状態において、その軸心が前記支点ピン１２ａの軸心と一致する位置に設定されている。この支持軸２１には、揺動部材である揺動アーム２２の基端が連結支持されており、当該揺動アーム２２は、その先端を下方に向けた位置（第五の位置）と上方に向けた位置（第六の位置）とに移動させることができるようになっている。
【００２４】
前記本体フレーム１の上記支持軸２１よりも下方側には、支持ビーム２３が突設されている。支持ビーム２３の先端側には、付勢手段であるガススプリング２４の一端側が揺動可能に連結されている。ガススプリング２４の他端側は、前記揺動アーム２２の前記支持軸２１寄りに揺動可能に連結支持されている。
【００２５】
つまり、ガススプリング２４は、揺動アーム２２の長手方向が上下方向に沿っている状態のときには、当該揺動アーム２２の先端側を下方（第五の位置）へ向ける方向へ当該揺動アーム２２を付勢し、揺動アーム２２の長手方向が上下方向に対して所定角度以上で交差する状態のときには、下死点を越えて揺動アーム２２の先端側を上方（第六の方向）へ向ける方向へ当該揺動アーム２２を付勢するようになっているのである。
【００２６】
前記支持フレーム１３の前記胴２，３の軸心方向外側の面、言い換えれば、前記揺動アーム２２との対向面には、係合ピン２５が突設されている。一方、揺動アーム２２の前記胴２，３の軸心方向内側、言い換えれば、前記支持フレーム１３との対向側には、上記係合ピン２５と着脱可能に嵌合するＵ字状に切り欠かれた係合溝２６ａを有する係合部材２６が突設されており、当該係合部材２６は、当該係合溝２６ａの切欠口が揺動アーム２２の先端側に向けられている。
【００２７】
つまり、係合部材２６は、支持フレーム１３の他端側が下方（第三の位置）に位置しているときには係合溝２６ａの切欠口を下方へ向けるように配向し、支持フレーム１３の他端側が上方（第四の位置）に位置しているときには揺動アーム２２の揺動に伴って係合溝２６ａの切欠口を上方（支持アーム１２の第一の位置から第二の位置への移動方向）へ向けるように配向するようになっているのである。
【００２８】
このような係合ピン２５、係合部材２６などにより、本実施の形態では連結手段を構成している。
【００２９】
また、図１，２に示すように、支持アーム１２の基端と先端との間には、先端に係合穴２７ａを形成された支持プレート２７の基端が揺動可能に連結されている。
【００３０】
つまり、前記支持フレーム１３の他端側を上方へ移動させるように前記支点ピン１２ａを中心にして当該支持フレーム１３を揺動させたときに、当該支持プレート２７を揺動して当該支持プレート２７の先端を支持フレーム１３の他端側へ接近させて、当該支持プレート２７の係合穴２７ａに前記連結具１８のピン１８ｂを差し込むことにより、当該支持プレート２７を介して支持フレーム１３の他端側を支持アーム１２に対して固定保持することができるようになっているのである（図６参照）。
【００３１】
なお、図１，２中、２８は支持アーム１２に突設されて支持プレート２７の揺動位置を規定する止めピン、２９は支持アーム１２に取り付けられて止めピン２８で揺動を規制された支持プレート２７をその位置に保持するプランジャである。
【００３２】
一方、図１，４，５に示すように、支持アーム１２の基端寄りには、第一のリンク部材である第一のリンクプレート３０の一端側が支点ピン３０ａを介して揺動可能に連結されている。第一のリンクプレート３０の他端側には、第二のリンク部材である第二のリンクプレート３１の一端側が連結ピン３２を介して揺動可能に連結されている。第二のリンクプレート３１の他端側は、本体フレーム１の上部に支点ピン３１ａを介して連結されている。また、前記支柱１１には、突出部となる前記連結ピン３２の軸端の周面に着脱可能に係合できる係合部である係合溝３３ａを先端側に形成した支持レバー３３の基端側が揺動可能に連結されている。
【００３３】
つまり、支持アーム１２の先端側を下方（第一の位置）から上方（第二の位置）へ移動させるように当該支持アーム１２を前記支点ピン１１ａを中心に揺動させると、第一のリンクプレート３０の一端と第二のリンクプレート３１の他端との間隔が広がって連結ピン３２が上方へ移動していき、当該連結ピン３２の軸端（突出部）の周面が支持レバー３３の下部周縁端面に接触して摺動しながら当該支持レバー３３の先端側を上方へ移動させるように当該支持レバー３３を揺動させて、当該支持レバー３３の前記係合溝３３ａ内に前記連結ピン３２の軸端側が嵌まり込み、支持レバー３３が連結ピン３２、リンクプレート３０，３１、支点ピン３０ａ，３１ａを介して支持アーム１２の先端側を上方（第二の位置）に位置させた状態で当該支持アーム１２を保持することができるようになっているのである（図４，７参照）。
【００３４】
このような本実施の形態では、第一のリンクプレート３０、第二のリンクプレート３１、連結ピン３２などによりリンク部材を構成し、連結ピン３２の軸端（突出部）、支持レバー３３の係合溝３３ａ（係合部）などにより係合手段を構成している。
【００３５】
また、前記支柱１１には、プランジャ３４が取り付けられている。支持レバー３３の基端側には、上記プランジャ３４と係合する延設部３３ｂが形成されている。支持レバー３３の先端には、ハンドル３５が取り付けられている。
【００３６】
つまり、支持レバー３３が連結ピン３２等を介して支持アーム１２を保持している状態において、ハンドル３５を持って支持レバー３３の先端側をさらに上方へ移動させるように当該支持レバー３３を揺動させると、支持レバー３３の係合溝３３ａから連結ピン３２が外れて支持アーム１２の保持が解除されると共に、支持レバー３３の延設部３３ｂが前記プランジャ３４を乗り越えて当該プランジャ３４で保持され、当該支持レバー３３をその位置のままで保持することができるようになっているのである（図８参照）。
【００３７】
このような延設部３３ｂ、プランジャ３４などにより、本実施の形態では保持手段を構成している。
【００３８】
また、前記リンクプレート３０の一端側と他端側との間には、押しピン３６が突設されている。支持レバー３３の先端側には、上記押しピン３６と当接する受け板３７が取り付けられている。
【００３９】
つまり、前記プランジャ３４が支持レバー３３の延設部３３ｂを保持している状態において、支持アーム１２の先端側を上方（第二の位置）から下方（第一の位置）に移動させるように当該支持アーム１２を揺動させると、当該支持アーム１２の当該揺動に伴って支点ピン３０ａおよびリンクプレート３０を介して押しピン３６が下方へ移動し、前記受け板３７に当接して当該受け板３７を介して支持レバー３３の先端側を押し下げ、当該支持レバー３３の前記延設部３３ｂがプランジャ３４を乗り越えて当該プランジャ３４による保持から開放されることにより、支持アーム１２の揺動と共に支持レバー３３も揺動させることができるようになっているのである（図８参照）。
【００４０】
このような押しピン３６、受け板３７などにより、本実施の形態では解除手段を構成している。
【００４１】
このような構造をなす印刷機において、版胴２やゴム胴３などのような下方の印刷手段の保守点検等を行う場合には、連結具１８のノブ１８ａを回転させてピン１８ｂを連結部材１９から外した後、支持フレーム１３の他端側を下方（第三の位置）から上方（第四の位置）へ移動させるように当該支持フレーム１３を揺動させると、係合ピン２５、係合部材２６を介して揺動アーム２２も先端を下方（第五の位置）から上方（第六の位置）へ移動させるように揺動する。
【００４２】
このとき、ガススプリング２４が当初においては支持フレーム１３の当該揺動に抗するように揺動アーム２２を付勢するものの、揺動アーム２２がある程度にまで揺動してガススプリング２４の下死点を超えると、当該ガススプリング２４が支持フレーム１３の当該揺動を加勢するように揺動アーム２２を付勢し始める。
【００４３】
このようにして支持フレーム１３の他端側を上方（第四の位置）に移動させるように当該支持フレーム１３を揺動させたら、支持プレート２７をプランジャ２９から外すように揺動させ、前記連結具１８のノブ１８ａを回転させてピン１８ｂを支持プレート２７の係合穴２７ａに係合させることにより、支持フレーム１３の他端側を上方に位置させた状態で当該支持フレーム１３を保持することができる（図６参照）。
【００４４】
このため、支持フレーム１３の他端側を上方に位置させることが容易にでき、少ない労力で版胴２やゴム胴３の周囲を開放することができる。
【００４５】
続いて、インキ装置や給水装置等のローラ群４などのような上方の印刷手段の保守点検等を行う場合には、連結ピン１６を連結部材１７から外すと共に、支持アーム１２の先端側を上方（第二の位置）へ移動させるように支点ピン１１ａを中心に当該支持アーム１２を揺動させると、揺動アーム２２が先端側を上方（第四の位置）へ向けるように揺動していることから、係合部材２６が係合溝２６ａの切欠口を上方側（支持アーム１２の第一の位置から第二の位置への移動方向）へ向けるように配向しているため、係合ピン２５が係合部材２６の係合溝２６ａから外れ、支持フレーム１３や版交換装置１４やカバープレート１５などのような移動部材を本体フレーム１の上方に移動させることができる（図７参照）。
【００４６】
このとき、支持アーム１２の上記揺動に伴って、支点ピン３０ａ，３１ａ、リンクプレート３０，３１を介して連結ピン３２が円弧を描くように上昇しながら支持レバー３３を持ち上げ、当該支持レバー３３の係合溝３３ａ内に嵌まり込むため、支点ピン３０ａ，３１ａ、リンクプレート３０，３１、連結ピン３２、支持レバー３３を介して支持アーム１２をその状態（第四の位置）のままで固定保持することができる。
【００４７】
このため、上記移動部材を本体フレーム１の上方に容易に移動させることができ、上方の印刷手段の保守点検等を行うことが容易にできると共に、上記移動部材の本体フレーム１の上方への移動操作と同時に当該移動部材を所定の位置で固定保持することが自動的にできるので、保守点検の前作業にかかる手間を簡略化することができ、作業効率を向上させることができる。
【００４８】
次に、保守点検作業等を終えたら、ハンドル３５を持ち上げて支持レバー３３を上方へ揺動させると、支持レバー３３の係合溝３３ａから連結ピン３２が外れると共に、支持レバー３３の延設部３３ｂがプランジャ３４を乗り越えて当該プランジャ３４で保持され、当該支持レバー３３がその位置（保持解除位置）で保持されるため、支持アーム１２の先端側を下方に移動させるように当該支持アーム１２を揺動することができ、支持アーム１２を当初の状態に戻すことができる。
【００４９】
このとき、支持アーム１２の先端側の上方（第二の位置）から下方（第一の位置）への移動に伴って、押しピン３６が下方へ移動して受け板３７を介して支持レバー３３の先端側を押し下げ、支持レバー３３の前記延設部３３ｂがプランジャ３４を乗り越えて当該プランジャ３４による保持が解除されるため、支持アーム１２の移動と同時に支持レバー３３を揺動させることができ、支持レバー３３を当初の状態に戻すことが自動的にできる。
【００５０】
さらに、先に説明した準備作動と逆の手順を行うことにより、すべての部材を当初の状態に戻すことができる。
【００５１】
したがって、このような印刷機によれば、移動部材を広範囲にわたって移動することが容易にできるので、インキ装置や給水装置などのような上方の印刷手段の周囲までも開放することができ、上方の印刷手段の保守点検作業を容易に行うことができる。
【００５２】
また、支持フレーム１３の他端側を下方（第三の位置）から上方（第四の位置）へ移動させるときにガススプリング２４が当該支持フレーム１３の移動を加勢するように付勢するので、版交換装置１４等のような高重量の移動部材であっても容易に移動させることができ、作業者にかかる負担を大幅に削減することができる。
【００５３】
また、上記移動部材の本体フレーム１の上方への移動操作と同時に当該移動部材を上方位置で固定保持することが自動的にできるので、保守点検の前作業にかかる手間を簡略化することができ、作業効率を向上させることができる。
【００５４】
また、ハンドル３５を持ち上げて支持レバー３３を上方へ揺動させることにより、支持レバー３３の係合溝３３ａから連結ピン３２を外すと同時に、支持レバー３３の延設部３３ｂがプランジャ３４を乗り越えて当該プランジャ３４で保持されるので、支持アーム１２の先端側を下方に移動させるように当該支持アーム１２を容易に揺動することができ、支持アーム１２を当初の状態に容易に戻すことができる。
【００５５】
また、支持アーム１２の先端側の上方から下方への移動に伴い、押しピン３６が下方へ移動して受け板３７を介して支持レバー３３の先端側を押し下げ、支持レバー３３の前記延設部３３ｂがプランジャ３４を乗り越えて当該プランジャ３４による保持を解除することができるので、支持アーム１２の移動と同時に支持レバー３３を揺動させることができ、支持レバー３３を当初の状態に戻すことが自動的にできる。
【００５６】
［第二番目の実施の形態］
本発明による印刷機の第二番目の実施の形態を図９〜１１を用いて説明する。
図９は、要部の概略構成図、図１０は、図９の矢線Ｘ方向からみた図、図１１は、インキ装置や給水装置の保守点検等を行う場合の説明図である。ただし、前述した第一番目の実施の形態の場合と同様な部分については、前述した第一番目の実施の形態の説明で用いた符号と同一の符号を用いることにより、その説明を省略する。
【００５７】
図９，１０に示すように、揺動アーム２２の前記胴２，３の軸心方向内側、言い換えれば、支持フレーム１３との対向側には、係合ピン１２５が突設されている。一方、支持フレーム１３の前記胴２，３の軸心方向外側の面、言い換えれば、揺動アーム２２との対向面には、上記係合ピン１２５と着脱可能に嵌合するＵ字状に切り欠かれた係合溝１２６ａを有する係合部材１２６が突設されており、当該係合部材１２６は、当該係合溝１２６ａの切欠口が揺動アーム２２の基端側に向けられている。
【００５８】
つまり、係合部材１２６は、支持フレーム１３の他端側が下方（第三の位置）に位置しているときには係合溝１２６ａの切欠口を上方へ向けるように配向し、支持フレーム１３の他端側が上方（第四の位置）に位置しているときには揺動アーム２２の揺動に伴って係合溝２６ａの切欠口を下方（支持アーム１２の第二の位置から第一の位置への移動方向）へ向けるように配向するようになっているのである。
【００５９】
すなわち、前述した第一番目の実施の形態では、支持フレーム１３に係合ピン２５を設け、揺動アーム２２に係合部材２６を設けたが、本実施の形態では、揺動アーム２２に係合ピン１２５を設け、支持フレーム１３に係合部材１２６を設けるようにしたのである。このような係合ピン１２５、係合部材１２６などにより、本実施の形態では連結手段を構成している。
【００６０】
このような本実施の形態において、インキ装置や給水装置等のローラ群４などのような上方の印刷手段の保守点検等を行う場合には、前述した第一番目の実施の形態の場合と同様に、支持アーム１２の先端側を上方（第二の位置）へ移動させるように支点ピン１１ａを中心に当該支持アーム１２を揺動させると、揺動アーム２２が先端側を上方（第四の位置）へ向けるように揺動していることから、係合部材１２６が係合溝１２６ａの切欠口を下方側（支持アーム１２の第二の位置から第一の位置への移動方向）へ向けるように配向しているため、係合ピン１２５が係合部材１２６の係合溝１２６ａから外れ、支持フレーム１３や版交換装置１４やカバープレート１５などのような移動部材を本体フレーム１の上方に移動させることができる（図１１参照）。
【００６１】
したがって、本実施の形態においても、前述した第一番目の実施の形態の場合と同様な作用効果を得ることができる。
【００６２】
［他の実施の形態］
なお、前述した各実施の形態では、版胴２に対する版の供給および版胴２からの版の排出を行う版交換装置１４を支持フレーム１３に取り付けたが、当該版交換装置１４に代えて、版胴２に対する版の供給および版胴２からの版の排出のうちの少なくとも一方を行う版交換手段を支持フレーム１３に取り付けてもよい。
【００６３】
また、前述した各実施の形態では、第一のリンクプレート３０と第二のリンクプレート３１とを連結する連結ピン３２の端部を支持レバー３３の係合溝３３ａに係合させるようにしたが、支持レバーの係合部と係合する突出部が第一のリンクプレートまたは第二のリンクプレートに設けられていれば、本実施の形態の場合と同様な効果を得ることができる。しかしながら、本実施の形態のようにすれば、部材点数を少なくすることができるので好ましい。また、支持レバーに突出部を設け、リンク部材に係合溝（係合部）を設けるようにしても、本実施の形態の場合と同様に作用して、本実施の形態の場合と同様な効果を得ることができる。
【００６４】
【発明の効果】
本発明の印刷機によれば、移動部材を広範囲にわたって移動することが容易にできるので、インキ装置や給水装置などのような上方の印刷手段の周囲までも開放することができ、上方の印刷手段の保守点検作業を容易に行うことができる。
【００６５】
また、第二の移動部材を第三の位置から第四の位置へ移動させるときに付勢手段が当該第二の移動部材の移動を加勢するように付勢するので、第二の移動部材の重量が大きくても当該第二の移動部材を容易に移動させることができ、作業者にかかる負担を大幅に削減することができる。
【図面の簡単な説明】
【図１】本発明による印刷機の第一番目の実施の形態の要部の概略構成図である。
【図２】図１の矢線II方向からみた図である。
【図３】図２の矢線 III方向からみた図である。
【図４】図１の矢線IV部の抽出拡大図である。
【図５】図４の矢線Ｖ方向からみた図である。
【図６】版胴やゴム胴の保守点検等を行う場合の説明図である。
【図７】インキ装置や給水装置の保守点検等を行う場合の説明図である。
【図８】図７の状態から図６の状態に戻す場合の説明図である。
【図９】本発明による印刷機の第二番目の実施の形態の要部の概略構成図である。
【図１０】図９の矢線Ｘ方向からみた図である。
【図１１】インキ装置や給水装置の保守点検等を行う場合の説明図である。
【符号の説明】
１  本体フレーム
２  版胴
３  ゴム胴
４  ローラ群
１１  支柱
１１ａ  支点ピン
１２  支持アーム
１２ａ  支点ピン
１３  支持フレーム
１４  版交換装置
１５  カバープレート
１６  連結ピン
１７  連結部材
１８  連結具
１８ａ  ノブ
１８ｂ  ピン
１９  連結部材
２０  ブラケット
２１  支持軸
２２  揺動アーム
２３  支持ビーム
２４  ガススプリング
２５，１２５  係合ピン
２６，１２６  係合部材
２６ａ，１２６ａ  係合溝
２７  支持プレート
２７ａ  係合穴
２８  止めピン
２９  プランジャ
３０  第一のリンクプレート
３０ａ  支点ピン
３１  第二のリンクプレート
３１ａ  支点ピン
３２  連結ピン
３３  支持レバー
３３ａ  係合溝
３３ｂ  延設部
３４  プランジャ
３５  ハンドル
３６  押しピン
３７  受け板
【図１】
0004829420.tif 000002
【図２】
0004829420.tif 000003
【図３】
0004829420.tif 000004
【図４】
0004829420.tif 000005
【図５】
0004829420.tif 000006
【図６】
0004829420.tif 000007
【図７】
0004829420.tif 000008
【図８】
0004829420.tif 000009
【図９】
0004829420.tif 000010
【図１０】
0004829420.tif 000011
【図１１】
0004829420.tif 000012